(57)【特許請求の範囲】
【請求項１】
ＶＯＸ制御中の送話器からの音声入力を示す音声状態信号が有状態であるか無状態であるかを検出する音声状態検出手段と、前記有状態時には前記音声状態信号に基づく音声信号を通話相手側へ送信し、前記無状態時には送信状態信号を未送信状態とする信号通信制御手段とを備えたアナログ式携帯電話機において、前記ＶＯＸ制御中に前記音声状態信号が前記有状態であることを示す有音指示信号を指示押下によって入力するための有音指示ボタンと、前記有音指示信号の入力開始から所定の時間を計数して計数状態信号を出力する計数手段とを備え、前記信号通信制御手段は、前記有音指示信号が入力されると前記計数手段を起動して前記所定の時間以内は該有音指示信号に従って前記音声状態検出手段により前記音声状態信号を前記無状態とみなした場合でも前記有状態とみなして前記送信状態信号を送信状態とすると共に、前記計数状態信号に従って該所定の時間経過後の該無状態時には該送信状態信号を前記未送信状態に戻して送信を止めることを特徴とするアナログ式携帯電話機。
【請求項２】
請求項１記載のアナログ式携帯電話機において、前記信号通信制御手段は、前記計数状態信号がオンのときに前記送信状態信号を前記送信状態とすると共に、該送信状態の間に該計数状態信号がオフとなって前記音声状態検出手段により前記音声状態信号の有無を判断した結果の前記無状態時に該送信状態信号の送信を止めることを特徴とするアナログ式携帯電話機。
【発明の詳細な説明】
【０００１】
【発明の属する技術分野】
本発明は、ＶＯＸ（音声作動継電回路）制御中に送信状態を指示制御するアナログ式携帯電話機に関する。
【０００２】
【従来の技術】
一般に、この種のアナログ式携帯電話機では、通信中の消費電力を節約するためのＶＯＸ機能を有している。このＶＯＸ機能を働かせるため、アナログ式携帯電話機本体には、ＶＯＸ制御中の送話器からの音声入力を示す音声状態信号が有状態であるか無状態であるかを検出する音声状態検出手段と、有状態時には音声状態信号に基づく音声信号を通話相手側へ送信し、無状態時には送信状態信号を未送信状態とする信号通信制御手段とが備えられている。
【０００３】
図３は、このようなアナログ式携帯電話機におけるＶＯＸ制御を説明するために示した各種の通信信号に関するタイミングチャートである。
【０００４】
ＶＯＸ制御中のアナログ式携帯電話機では、音声状態検出手段により送話器から音声が入力されていないとき，即ち、送話器の音声状態信号ａが無状態であることを検出すると、信号通信制御手段では消費電力を節約するために送信状態信号ｃをその送信量を減らして領域αで示されるような未送信状態とする。
【０００５】
又、音声状態検出手段により送話器からの音声入力が所定の音量以上のとき，即ち、送話器の音声状態信号ａが所定の値以上の有状態であることを検出すると、信号通信制御手段では有音／無音検出状態信号ｂを有音と判断して領域βで示されるような有音状態とする。
【０００６】
このとき、信号通信制御手段は、有音／無音検出状態信号ｂの有音状態時に音声状態信号に基づく音声信号の通話相手側への送信を開始する。これにより送話器から入力された音声が通話相手に伝わり、通話相手に聞える音声信号ｄは領域γで示されるような有状態となる。
【０００７】
【発明が解決しようとする課題】
上述したアナログ式携帯電話機の場合、ＶＯＸ制御中で送信停止状態にあって通話を開始すると、話始めを認識して無音状態から有音状態に移行するのに若干の時間がかかり、送信が再開されるまでの遅延時間（通話相手に聞える音声信号ｄに示す時刻ｔｘから有状態の立ち上がりまでの時間）があるため、話の出だしが欠損されて聞き取り難くなるという問題がある。
【０００８】
一方、ＶＯＸ制御を解除してしまうと、消費電力が増加して通話可能な時間が短くなってしまうため、好ましくない。
【０００９】
本発明は、このような問題点を解決すべくなされたもので、その技術的課題は、ＶＯＸ制御中で送信停止状態にあっても、通話の開始に際して話の出だしが欠損されないアナログ式携帯電話機を提供することにある。
【００１０】
【課題を解決するための手段】
本発明によれば、ＶＯＸ制御中の送話器からの音声入力を示す音声状態信号が有状態であるか無状態であるかを検出する音声状態検出手段と、有状態時には音声状態信号に基づく音声信号を通話相手側へ送信し、無状態時には送信状態信号を未送信状態とする信号通信制御手段とを備えたアナログ式携帯電話機において、ＶＯＸ制御中に音声状態信号が有状態であることを示す有音指示信号を指示押下によって入力するための有音指示ボタンと、有音指示信号の入力開始から所定の時間を計数して計数状態信号を出力する計数手段とを備え、信号通信制御手段は、有音指示信号が入力されると計数手段を起動して所定の時間以内は該有音指示信号に従って音声状態検出手段により音声状態信号を無状態とみなした場合でも有状態とみなして送信状態信号を送信状態とすると共に、計数状態信号に従って該所定の時間経過後の該無状態時には該送信状態信号を未送信状態に戻して送信を止めるアナログ式携帯電話機が得られる。
【００１１】
又、本発明によれば、上記アナログ式携帯電話機において、信号通信制御手段は、計数状態信号がオンのときに送信状態信号を送信状態とすると共に、該送信状態の間に該計数状態信号がオフとなって音声状態検出手段により音声状態信号の有無を判断した結果の無状態時に該送信状態信号の送信を止めるアナログ式携帯電話機が得られる。
【００１２】
【発明の実施の形態】
以下に実施例を挙げ、本発明のアナログ式携帯電話機について、図面を参照して詳細に説明する。
【００１３】
このアナログ式携帯電話機も従来機と同様な構成，即ち、ＶＯＸ制御中の送話器からの音声入力を示す音声状態信号が有状態であるか無状態であるかを検出する音声状態検出手段と、有状態時には音声状態信号に基づく音声信号を通話相手側へ送信し、無状態時には送信状態信号を未送信状態とする信号通信制御手段とを備えるが、ここでは新たにＶＯＸ制御中に音声状態信号が有状態であることを示す有音指示信号を指示押下によって入力するためのアンロック式有音指示ボタンが備えられている。
【００１４】
これにより、信号通信制御手段は、有音指示信号に従って所定の時間以内は音声状態検出手段により音声状態信号を無状態とみなした場合でも有状態とみなして送信状態信号を送信状態とするようになっている。
【００１５】
又、このアナログ式携帯電話機の場合、有音指示信号の入力開始から所定の時間を計数して計数状態信号を出力する計数手段（ここではリアルタイムを計数するタイマを用いるものとするが、その必要が無ければカウンタ等でも良い）が備えられ、信号通信制御手段では計数状態信号に従って所定の時間経過後の無状態時には送信状態信号を未送信状態に戻すようになっている。
【００１６】
図１は、本発明の一実施例に係るアナログ式携帯電話機におけるＶＯＸ制御（送信状態の指示制御）を説明するために示した各種通信信号に関するタイミングチャートである。
【００１７】
このアナログ式携帯電話機では、ＶＯＸ制御中に使用者が話始める際、有音指示ボタンを押下して音声状態検出手段により検出される音声状態信号ａが無状態（音声状態信号ａの音量が無音と判断されるレベル）であっても、それに拘らず有状態であることを示す有音指示信号ｅを入力する。
【００１８】
この有音指示信号ｅが入力されると、信号通信制御手段ではタイマを起動し、タイマが所定の時間△ｔを計数して計数状態信号ｆを出力する。因みに、有音指示信号ｅは有音指示ボタンの押下状態ではＯＮ，非押下状態ではＯＦＦとなり、計数状態信号ｆは所定の時間△ｔの計数時にはＯＮ，所定の時間△ｔ以外の計数時にはＯＦＦとなる。
【００１９】
同時に信号通信制御手段では、有音指示信号ｅが入力されると、所定の時間△ｔ以内は有音指示信号ｅに従って音声状態検出手段により音声状態信号ａを無状態とみなした場合でも有音／無音検出状態信号ｂを有状態とみなして送信状態信号ｃを送信状態とする。これにより、所定の時間△ｔ以内に話始めれば、音声信号ｄにおいて従来では時刻ｔｘから有状態の立ち上がりまでに生じた遅延時間が無くなり、時刻ｔｘが有状態の立ち上がりに吸収され、話の出だしが欠損されることが無くなる。
【００２０】
又、所定の時間△ｔ経過後の送信状態信号ｃの送信状態の間に計数状態信号ｆがオフとなって音声状態検出手段により音声状態信号ａに関して無状態を検出すると、信号通信制御手段では、有音／無音検出状態信号ｂを無音状態とみなして送信状態信号ｃを未送信状態として送信を止め、省電力モードに移行する。
【００２１】
即ち、ここでの信号通信制御手段では、ＶＯＸ制御中にタイマの計数状態信号ｆがＯＮのときか、或いは有音／無音検出状態信号ｂが有音状態のときに有音状態を検出したとみなして送信状態信号ｃを送信状態とする。
【００２２】
このような操作及び動作処理は、一回の通話中に何度でも繰り返せるもので、これによって相手側への通話に際して、話の出だしが聞き取り難くなることを防止できる。従って、このアナログ式携帯電話機では、ＶＯＸ制御中で送信停止状態にあっても、通話の開始に際して話の出だしが欠損されない。
【００２３】
ところで、上述したタイマで計数する所定の時間△ｔは、過不足が無いように適度に設定する必要がある。仮に、所定の時間△ｔが短過ぎれば、図２（ａ）に示すように、音声信号ｄにおいて従来のように時刻ｔｘから有状態の立ち上がりまでに遅延時間が生じ、話の出だしが瞬時欠損されることになるし、逆に所定の時間△ｔが長過ぎれば、図２（ｂ）に示すように、話の出だしが欠損されることが無くても、送信状態信号ｃにおいて時刻ｔｙから以後に送信する音声が無いのに無駄に送信状態を保持する事態を生じるため、好ましくない。
【００２４】
【発明の効果】
以上に説明したように、本発明のアナログ式携帯電話機によれば、ＶＯＸ制御中に音声状態信号が有状態であることを示す有音指示信号を指示押下によって入力するための有音指示ボタン、並びに有音指示信号の入力開始から所定の時間を計数して計数状態信号を出力する計数手段を備え、信号通信制御手段では有音指示信号が入力されると計数手段を起動して所定の時間以内は有音指示信号に従って既存の音声状態検出手段により音声状態信号を無状態とみなした場合でも有状態とみなして送信状態信号を送信状態とすると共に、計数状態信号に従って所定の時間経過後の無状態時には送信状態信号を未送信状態に戻して送信を停止することにより、所定の時間以内に話始めれば、通話相手に聞こえる音声信号において従来のような遅延時間が生じることが無くなり、これによって送信停止状態にあっても通話の話の出だしが欠損されないようになり、しかもこのような送信状態の指示制御は、ＶＯＸ制御中に繰り返し行い得るものであるため、ＶＯＸ制御による長所である省電力化やこれによる通話可能時間の延命化をそのまま維持できるようになる。
【図面の簡単な説明】
【図１】本発明の一実施例に係るアナログ式携帯電話機におけるＶＯＸ制御（送信状態の指示制御）を説明するために示した各種通信信号に関するタイミングチャートである。
【図２】図１で説明したＶＯＸ制御で計数設定される所定の時間を変更した場合のタイミングチャートを示したもので、（ａ）は所定の時間が短過ぎる場合に関するもの，（ｂ）は所定の時間が長過ぎる場合に関するものである。
【図３】従来のアナログ式携帯電話機におけるＶＯＸ制御を説明するために示した各種通信信号に関するタイミングチャートである。
【符号の説明】
ａ  音声状態信号
ｂ  有音／無音検出状態信号
ｃ  送信状態信号
ｄ  音声信号
ｅ  有音指示信号
ｆ  計数状態信号
【図１】
0004057078.tif 000002
【図２】
0004057078.tif 000003
【図３】
0004057078.tif 000004